(57)【要約】【課題】自動料金収受システム（ＥＴＣ）では、料金所をノンストップで通過できるため、利用した場合にその領収書を発行できないという課題があった。また、領収書発行に際しセキュリティを確保する必要があった。【解決手段】ＩＣカード２に情報を読み書きするＩＣカードインターフェイス部６と、ＩＣカード２へ情報を記録する際の暗号化および情報を読み出す際の復号化を行うＳＡＭ部５と、領収書発行の指示を入力する操作部７と、領収書の印刷を行うプリンター部８と、ＳＡＭ部５によるセキュリティが確認された場合に、プリンター部８による領収書の発行を許可する制御処理部４とを備えている。一度領収書を発行したＥＴＣ利用履歴中の用件は、ＩＣカード２上から消去されるか、または再び同一用件について領収書が発行できないようデータ上でロックがかけられる。【選択図】  図１
2004246563.tif 000002
【特許請求の範囲】
【請求項１】
ＩＣカードに情報を読み書きするインターフェイス手段と、前記ＩＣカードへ情報を記録する際の暗号化および情報を読み出す際の復号化を行うセキュリティ手段と、領収書発行の指示を入力する入力手段と、領収書の印刷を行う印刷手段と、前記印刷手段による領収書の発行を許可する制御手段とを備えたことを特徴とする領収書発行装置。
【請求項２】
前記制御手段は、前記ＩＣカードの料金精算履歴中の用件に対して領収書を発行した場合は、前記領収書を発行した用件を前記ＩＣカードから消去することを特徴とする請求項１記載の領収書発行装置。
【請求項３】
前記制御手段は、前記ＩＣカードの料金精算履歴中の用件に対して領収書を発行した場合は、前記領収書を発行した用件の前記ＩＣカードからの読み出しを禁止することを特徴とする請求項１記載の領収書発行装置。
【請求項４】
前記ＩＣカードが、自動料金収受システムに用いられるＩＣカードであることを特徴とする請求項１ないし３のいずれかに記載の領収書発行装置。
【発明の詳細な説明】
【０００１】
【発明の属する技術分野】
本発明は、有料道路の料金所、本線等に設けられた路側無線装置と車両に搭載された車載無線装置との間で無線通信を行い、有料道路の通行料金を自動的に収受する自動料金収受システムに対応する領収書発行装置に関する。
【０００２】
【従来の技術】
一般に、商品の購入またはサービスに際し対価が支払われた場合には、キャッシュレジスタから領収書が発行される。また、病院等における診察券をＩＣカードで構成し、料金の投入により領収書を発行する医療費自動精算システムも知られている（例えば、特許文献１参照）。また、有料道路の料金収受においては、係員がいる場合には、料金を支払により領収書が発行される。ところが、現金の直接の受け渡しが必要のない自動料金収受（以下、ＥＴＣという。）システムでは、領収書は発行されない。
【０００３】
ＥＴＣシステムでは、ＥＴＣ車載無線装置が、料金所に設置された路側機アンテナの通信エリアに進入して、路側機からの電波を受信すると、自動的に交信を開始し課金処理を行い、課金情報をスピーカーによって音声案内、または表示器によって表示する。図３はＥＴＣシステムにおける車載無線装置の構成を示している。図３において、車載無線装置本体１１は、個人情報、課金結果情報等が読み書きされるＩＣカード１２を使用する。空中線部１３すなわちアンテナを介して行われる路側機との通信は、５．８ＧＨｚ帯の高周波信号の送受信を行うアナログ回路により構成された無線部１４により行われる。制御処理部１５は、ＤＳＲＣ（Ｄｅｄｉｃａｔｅｄ  Ｓｈｏｒｔ  Ｒａｎｇｅ  Ｃｏｍｍｕｎｉｃａｔｉｏｎ：狭域通信）処理装置およびＣＰＵが含まれ、無線通信の制御、ＩＣカードの制御を初めとする情報処理全般を行う。ＳＡＭ（Ｓｅｃｕｒｅ  Ａｐｐｌｉｃａｔｉｏｎ  Ｍｏｄｕｌｅ）１６は、送信する信号の暗号化や、受信した信号の暗号解読をする役割を果たし、ＩＣカード１２へ記録する情報の暗号化、復号化を行う。ＩＣカードインターフェイス部１７は、ＩＣカードコネクタによって構成されており、この端子を通じて必要な情報がＩＣカード１２に読み書きされる。ヒューマン・マシン・インターフェイス部１８は、車載無線装置１１の状態を示すＬＥＤやスピーカ等である。カーナビインターフェイス部１９は、外部機器であるカーナビゲーションシステム２０を接続して使用するためのものである。
【０００４】
次に、この車載無線装置１１の動作について説明する。まず、ユーザは、自動車に設置された車載無線装置１１に自分のユーザＩＤが記録されているＩＣカード１２を挿入する。ＩＣカード１２が挿入されると、車載無線装置１１は、ＳＡＭ部１６とＩＣカード１２との間のやりとりによってＩＣカード１２の活性化を行う。具体的には、ＩＣカード１２の電源オンを行い、ＩＣカード１２に記録されたＥＴＣアプリケーションプログラムを選択し、ＳＡＭ部１６がＩＣカード１２に情報を記録する際の暗号鍵をＩＣカード１２から取得する。また同時に、ＳＡＭ部１６は、路側機との間で行う無線通信用の暗号鍵を制御処理部１５への引渡しを行う。これらの動作が正常に終了し、車載無線装置１１が利用可能となれば、確認用ＬＥＤが点灯し、音声と共にユーザーにその旨を伝える。なお、この確認用ＬＥＤやスピーカは、図３ではヒューマン・マシン・インターフェイス部１８に含まれている。また、このヒューマン・マシン・インターフェイス部１８の代わりに、カーナビインターフェイス部１９を介してカーナビゲーションシステム２０から音声または表示によって結果をユーザに伝達することもできる。
【０００５】
自動車が路側機の通信可能エリア外を走行している場合、車載無線装置１１は待機状態になっており、路側機からの無線信号が空中線部１３から入力されると、無線部１４によってその入力電界強度が検知され、それがある一定レベルを超えたところで、制御処理部１５は、車両が路側機の通信可能エリアに入ったことを認識し、車載無線装置１１は、通信状態へと移行し、半二重通信による課金処理へと移る。無線部１４によって５．８ＧＨｚの高周波信号から１Ｍｂｐｓのベースバンド信号へと変換される通信データは、プロトコル処理を制御処理部１５で処理し、受信データの復号化および送信データの暗号化はＳＡＭ部１６によって処理される。この通信手順によって、車載無線装置１１に記録されている車両情報や、ＳＡＭ部１６を介してＩＣカード１２から読み出されるカード所持者の個人情報が路側機に対して送信される。最終的な課金結果は、ヒューマン・マシン・インターフェイス部１８によって音声や表示によってドライバーに伝えられると同時に、ＩＣカードインターフェイス部１７を介してＩＣカード１２に書き込まれる。その際、書き込みデータもＳＡＭ部１６によって暗号化される。車両が路側機の通信エリアを通過しエリア外に出ると、空中線部１３からの入力電界強度の低下を無線部１４が検知し、これが制御処理部１５に伝えられ、車載無線装置１１は再び待機状態へと移行する。
【０００６】
ユーザがＥＴＣの利用履歴を確認したい場合、ヒューマン・マシン・インターフェイス部１８、またはカーナビゲーションシステム２０による操作で、制御処理部１５からＳＡＭ部１６に対しＩＣカード読み出しコマンドを実行することにより、ＩＣカード１２に記録された利用履歴が読み出され、ＩＣカードインターフェイス部１７、ＳＡＭ部１６、カーナビインターフェイス部１９を経由してカーナビゲーションシステム２０の表示部に表示することにより、利用日時、利用料金所、利用料金等を閲覧することができる。
【０００７】
【特許文献１】
特開昭６１−２３１６６０号公報
【０００８】
【発明が解決しようとする課題】
しかしながら、有料道路利用に関して大きく利便性を向上することのできるＥＴＣシステムであるが、料金所をノンストップで通過できるが故に、利用した場合にその領収書を発行できないという問題があった。また、領収書という性質上、また同じ通過履歴に対し何枚も領収書が発行されてはならない。さらに、領収書の内容が改ざんされてはならない等の制約もあり、セキュリティ確保に問題があった。
【０００９】
本発明は、このような従来の問題を解決するものであり、ＥＴＣシステムにおける領収書をセキュリティを確保しながら容易に発行することのできる領収書発行装置を提供することを目的とする。
【００１０】
【課題を解決するための手段】
上記目的を達成するために、本発明の領収書発行装置は、ＩＣカードに情報を読み書きするインターフェイス手段と、前記ＩＣカードへ情報を記録する際の暗号化および情報を読み出す際の復号化を行うセキュリティ手段と、領収書発行の指示を入力する入力手段と、領収書の印刷を行う印刷手段と、前記印刷手段による領収書の発行を許可する制御手段とを備えたことを特徴とする。この構成により、セキュリティを確保しながら領収書の発行を容易に行うことができる。
【００１１】
また、本発明の領収書発行装置は、前記制御手段は、前記ＩＣカードの料金精算履歴中の用件に対して領収書を発行した場合は、前記領収書を発行した用件を前記ＩＣカードから消去することを特徴とする。この構成により、同一用件についての重複した領収書の発行を禁止することができる。
【００１２】
また、本発明の領収書発行装置は、前記制御手段は、前記ＩＣカードの料金精算履歴中の用件に対して領収書を発行した場合は、前記領収書を発行した用件の前記ＩＣカードからの読み出しを禁止することを特徴とする。この構成により、同一用件についての重複した領収書の発行を禁止することができる。
【００１３】
また、本発明の領収書発行装置は、前記ＩＣカードが、自動料金収受システムに用いられるＩＣカードであることを特徴とする。この構成により、ノンストップ自動料金収受システムまたは狭域通信応用サービスにおける領収書の発行を容易に行うことができる。
【００１４】
【発明の実施の形態】
以下、本発明の実施の形態について図面を参照して説明する。図１は本実施の形態における領収書発行装置の構成を示している。図１において、領収書発行装置１は、コンビニエンスストアや駅など人の集まるところに設置され、料金収受の媒体として、個人情報および課金結果情報等が読み書きされるＩＣカード２が使用される。表示部３は、ＩＣカード２に記録された利用履歴などの表示を行う液晶ディスプレイやＣＲＴなどの表示装置である。制御処理部４は、ＥＴＣ処理およびＩＣカード２の制御を初めとする情報処理全般を行うマイクロコンピュータである。ＳＡＭ（Ｓｅｃｕｒｅ  Ａｐｐｌｉｃａｔｉｏｎ  Ｍｏｄｕｌｅ）部５は、ＩＣカード２へ記録する情報の暗号化や情報を読み出す際の復号化を行う信号処理装置である。ＩＣカードインターフェイス部６は、必要な情報をＩＣカード２に読み書きするＩＣカードコネクタである。操作部７は、利用履歴の読み出し開始、履歴の選択、領収書の発行指示、宛先の入力等を行うタッチパネルまたはキーボード等の入力手段である。プリンター部８は、所定の用紙に対して領収書の印刷を行う印刷手段である。
【００１５】
次に、本実施の形態における領収書発行装置１の動作について図２を参照して説明する。まず、ユーザはコンビニエンスストアや駅に設置された領収書発行装置１に所望するＥＴＣ利用履歴が記録されているＩＣカード２を挿入する。領収書発行装置は、ＩＣカード２の挿入をＩＣカードＩ／Ｆ部６で検知すると（ステップＳ１）、ＳＡＭ部５とＩＣカード２との間のやりとりによってＩＣカード２の活性化が行われる。具体的には、ＩＣカード２の電源がオンされ、ＩＣカード２に記録されたＥＴＣアプリケーションプログラムが選択されて起動する（ステップＳ２）。ＳＡＭ部５は、ＩＣカード２に情報を記録する際の暗号鍵をＩＣカード２から取得し、解読してユーザＩＤの認証を行う（ステップＳ３）。これらの動作が正常に終了し、ＳＡＭ部５によるセキュリティが確認された場合、制御処理部４は、プリンター部８による領収書の発行を許可し、表示部３にメッセージを表示して、ユーザに次の操作を促す（ステップＳ４）。ユーザが操作部７からＩＣカード２の読み出しを指示すると、制御処理部４からＳＡＭ部５に対しＩＣカード読み出しコマンドが実行され（ステップＳ５）、ＩＣカード２に記録されたＥＴＣ利用履歴が表示部３に表示される（ステップＳ６）。表示部３への表示と操作部７での操作により、ユーザは利用履歴の中から領収書発行が必要な用件を選択し、領収書の宛先を入力し、発行を指示することにより、領収書発行コマンドが実行され（ステップＳ７）、利用日時、利用料金所、領収料金などが記載された所望の領収書がプリンター部８で印刷され、領収書が発行される（ステップＳ８）。なお、その際、一度領収書を発行したＥＴＣ利用履歴中の用件は、ＩＣカード２上から消去されるか、または再び同一用件について領収書が発行できないようデータ上でロックがかけられる。
【００１６】
このように、本実施の形態によれば、ＩＣカード２に情報を読み書きするＩＣカードインターフェイス部６と、ＩＣカード２へ情報を記録する際の暗号化および情報を読み出す際の復号化を行うＳＡＭ部５と、領収書発行の指示を入力する操作部７と、領収書の印刷を行うプリンター部８と、ＳＡＭ部５によるセキュリティが確認された場合に、プリンター部８による領収書の発行を許可する制御処理部４とを備えているので、セキュリティを確保しながら領収書の発行を容易に行うことができる。また、ＥＴＣシステムと同じ５．８ＧＨｚ帯を使用するサービスエリアやパーキングエリアにおける売店やガソリンスタンドなどにおける狭域通信応用サービスにおいても、同じ領収書発行装置１を使用して領収書の発行を行うことができる。
【００１７】
【発明の効果】
以上説明したように、本発明の領収書発行装置は、ＩＣカードに情報を読み書きするインターフェイス手段と、ＩＣカードへ情報を記録する際の暗号化および情報を読み出す際の復号化を行うセキュリティ手段と、領収書発行の指示を入力する入力手段と、領収書の印刷を行う印刷手段と、印刷手段による領収書の発行を許可する制御手段とを備えているので、セキュリティを確保しながら領収書の発行を容易に行うことができる。
【図面の簡単な説明】
【図１】本発明の実施の形態における領収書発行装置の構成を示すブロック図
【図２】本発明の実施の形態における領収書発行処理を示すフロー図
【図３】従来におけるＥＴＣ車載無線装置の構成を示すブロック図
【符号の説明】
１  領収書発行装置
２  ＩＣカード
３  表示部
４  制御処理部
５  ＳＡＭ部
６  ＩＣカードインターフェイス部
７  操作部
８  プリンター部
１１  車載無線装置
１２  ＩＣカード
１３  空中線部
１４  無線部
１５  制御処理部
１６  ＳＡＭ部
１７  ＩＣカードインターフェイス部
１８  ヒューマン・マシン・インターフェイス部
１９  カーナビインターフェイス部
２０  カーナビゲーションシステム
【図１】
2004246563.tif 000003
【図２】
2004246563.tif 000004
【図３】
2004246563.tif 000005